(57)【要約】【課題】開扉状態を維持するための部材を変更することなく、コンテナ妻面の開戸からの突出量を抑制する。【解決手段】コンテナ１０は、観音開き式の一対の開戸２０が少なくとも一方の妻面１４に設けられ、開扉状態にされた一対の開戸２０Ａ、２０Ｂは、従来と同様に、掛金具３０及び掛金具受３４によって開扉状態が維持される。しかしながら、コンテナ１０は、従来のコンテナと異なり、双方の側面１８、１６に、妻面１４に設けられた一対の開戸２０Ａ、２０Ｂ用の掛金具３０を備え、一対の開戸２０Ａ、２０Ｂの各々に、掛金具３０よりも突出量が小さい、開戸２０Ａ、２０Ｂ用の掛金具受３４を備えている。このため、開扉状態を維持するための部材を従来のコンテナから変更することなく、コンテナ妻面１４の開戸２０Ａ、２０Ｂからの突出量を抑制することができる。【選択図】図１
2019172312.tif 000002
【特許請求の範囲】
【請求項１】
観音開きの一対の開戸が少なくとも一方の妻面に設けられ、掛金具及び該掛金具を受ける掛金具受によって前記開戸の開扉状態が維持されるコンテナであって、
妻面に設けられた前記一対の開戸の各々に、該開戸用の前記掛金具受を備えると共に、双方の側面に、妻面に設けられた前記一対の開戸用の前記掛金具を備えていることを特徴とするコンテナ。
【請求項２】
更に、前記一対の開戸が少なくとも一方の側面に設けられ、
側面に設けられた前記一対の開戸の各々に、該開戸用の前記掛金具を備えると共に、双方の妻面に、側面に設けられた前記一対の開戸用の前記掛金具受を備えていることを特徴とする請求項１記載のコンテナ。
【請求項３】
一方の妻面と双方の側面との３面に前記一対の開戸が設けられると共に、他方の妻面に外板が設けられ、該外板が設けられた妻面を第１妻面、前記一対の開戸が設けられた妻面を第２妻面としたとき、
前記第２妻面に設けられた一方の開戸に、該開戸用の前記掛金具受と、該開戸が開く側とは反対の一方の側面に設けられた、前記第２妻面寄りの開戸用の前記掛金具受とを備えると共に、前記第２妻面に設けられた他方の開戸に、該開戸用の前記掛金具受と、該開戸が開く側とは反対の他方の側面に設けられた、前記第２妻面寄りの開戸用の前記掛金具受とを備え、
前記第１妻面に設けられた前記外板に、前記一方の側面に設けられた前記第１妻面寄りの開戸用の前記掛金具受と、前記他方の側面に設けられた前記第１妻面寄りの開戸用の前記掛金具受とを備え、
前記一方の側面に設けられた前記第２妻面寄りの開戸に、該開戸用の前記掛金具と、前記第２妻面に設けられた前記他方の開戸用の前記掛金具とを備えると共に、前記一方の側面に設けられた前記第１妻面寄りの開戸に、該開戸用の前記掛金具を備え、
前記他方の側面に設けられた前記第２妻面寄りの開戸に、該開戸用の前記掛金具と、前記第２妻面に設けられた前記一方の開戸用の前記掛金具とを備えると共に、前記他方の側面に設けられた前記第１妻面寄りの開戸に、該開戸用の前記掛金具を備えていることを特徴とする請求項２記載のコンテナ。
【発明の詳細な説明】
【技術分野】
【０００１】
本発明は、観音開きの開戸が設けられたコンテナに関するものである。
【背景技術】
【０００２】
様々な荷物を収容するコンテナは、通常、略直方体の中空構造を有し、一対の妻面と一対の側面とのうち、少なくとも１つの面に荷物を出し入れするための扉が設けられている。コンテナに設けられている扉は、観音開き式である場合が多く、左右両開きの一対の開戸を備えている。例えば、妻面に設けられた扉は、一方の開戸が一方の側面に対向する位置まで開かれ、もう一方の開戸が他方の側面に対向する位置まで開かれることで、開扉状態にされる。そのように開扉状態にされた開戸は、風等の影響によって閉まらないように、開戸に取り付けられた掛金具が、側面に設けられた掛金具受に掛止されることで、開扉状態が維持される。一方、特許文献１には、側面の上部に位置する上梁に工夫を施すことで、積載限界を超えることなく容量を拡大したコンテナが示されている。
【先行技術文献】
【特許文献】
【０００３】
【特許文献１】特許第４００３１８３号公報
【発明の概要】
【発明が解決しようとする課題】
【０００４】
ここで、コンテナには、更なる容量の拡大化が望まれており、それを実現するための１つの方法として、例えば、妻面の最外縁部を変更することなく、妻面に設けられる開戸の位置を、妻面と直交する方向に沿って外側へシフトすることが挙げられる。しかしながら、開戸の位置を外側へシフトすると、閉扉状態の開戸の外面と妻面の最外縁部との間の間隔が狭くなるため、開戸に取り付けられた掛金具が妻面の最外縁部よりも突出し、コンテナに要求される外法寸法が満たされない虞がある。なお、開戸のシフト量に応じて、妻面の最外縁部から突出しないような大きさの掛金具を用いることも想定されるが、そのような新たな掛金具を使用すると、コストやメンテナンス等の点で不都合が生じる。
【０００５】
本発明は上記課題に鑑みてなされたものであり、その目的とするところは、開扉状態を維持するための部材を変更することなく、コンテナ妻面の開戸からの突出量を抑制することにある。
【課題を解決するための手段】
【０００６】
（発明の態様）
以下の発明の態様は、本発明の構成を例示するものであり、本発明の多様な構成の理解を容易にするために、項別けして説明するものである。各項は、本発明の技術的範囲を限定するものではなく、発明を実施するための最良の形態を参酌しつつ、各項の構成要素の一部を置換し、削除し、又は、更に他の構成要素を付加したものについても、本願発明の技術的範囲に含まれ得るものである。
【０００７】
（１）観音開きの一対の開戸が少なくとも一方の妻面に設けられ、掛金具及び該掛金具を受ける掛金具受によって前記開戸の開扉状態が維持されるコンテナであって、妻面に設けられた前記一対の開戸の各々に、該開戸用の前記掛金具受を備えると共に、双方の側面に、妻面に設けられた前記一対の開戸用の前記掛金具を備えているコンテナ（請求項１）。
【０００８】
本項に記載のコンテナは、荷物を出し入れするための扉として、観音開き式の一対の開戸が、少なくとも一方の妻面に設けられたものである。すなわち、妻面に設けられた一対の開戸は、妻面の両側端（隅柱の設置位置）を起点として、一方の開戸が一方の側面に対向する位置まで開かれ、もう一方の開戸が他方の側面に対向する位置まで開かれる。そして、このように開扉状態にされた一対の開戸は、従来と同様に、掛金具及び掛金具を受ける掛金具受によって開扉状態が維持される。しかしながら、本項に記載のコンテナは、従来のコンテナと異なり、妻面に設けられた一対の開戸の各々に、その開戸用の掛金具受を備え、双方の側面に、妻面に設けられた一対の開戸用の掛金具を備えたものである。すなわち、妻面に設けられた双方の開戸は、開扉状態で各々が対向する側面に具備された掛金具が、各々に具備された掛金具受に掛止されることで、開扉状態が維持されるものである。
【０００９】
ここで、掛金具は、掛金具受に対して掛止される長尺リング状の掛止部材と、掛止部材を保持するための保持部材とを含み、未使用時には、掛止部材が保持部材から吊り下げられている。そして、使用時には、掛止部材が保持部材により保持された一端側を起点に保持部材に対して回動され、掛止部材の他端側が掛金具受に掛止されるものである。このため、保持部材には、掛止部材を掛止する際の作業性等を考慮して、掛止部材の一端がある程度自由に動くための遊びが必要となる。その結果、掛止部材及び保持部材を有する掛金具は、掛止部材が一時的に掛止されるだけの掛金具受と比較して、具備される面からの突出量が大きくなる。換言すれば、掛金具受は、具備された面からの突出量が掛金具よりも小さいため、本項に記載のコンテナの妻面は、掛金具が設けられていた従来のコンテナの妻面と比較して、開戸からの突出量が抑制されるものである。しかも、掛金具及び掛金具受には、従来のコンテナと同様の部材が用いられるため、開扉状態を維持するための部材を変更することなく、コンテナ妻面の開戸からの突出量が抑制される。これにより、例え妻面の開戸の位置が外側へシフトされても、その開戸に設けられた掛金具受が妻面の最外縁部よりも突出することが防止されるため、コンテナ容量の拡大化に寄与するものとなる。
【００１０】
（２）上記（１）項において、更に、前記一対の開戸が少なくとも一方の側面に設けられ、側面に設けられた前記一対の開戸の各々に、該開戸用の前記掛金具を備えると共に、双方の妻面に、側面に設けられた前記一対の開戸用の前記掛金具受を備えているコンテナ（請求項２）。
本項に記載のコンテナは、荷物を出し入れするための観音開き式の一対の開戸が、少なくとも一方の妻面に加えて、少なくとも一方の側面にも設けられたものである。そして、側面に設けられた一対の開戸の各々に、その開戸用の掛金具を備え、双方の妻面に、側面に設けられた一対の開戸用の掛金具受を備えたものである。
【００１１】
すなわち、側面に設けられた一方の開戸は、一方の妻面に対向する位置まで開かれ、その妻面に具備された掛金具受に対して、開戸に具備された掛金具が掛止されることで、開扉状態が維持される。同様に、側面に設けられたもう一方の開戸は、他方の妻面に対向する位置まで開かれ、その妻面に具備された掛金具受に対して、開戸に具備された掛金具が掛止されることで、開扉状態が維持される。すなわち、本項に記載のコンテナは、妻面に設けられた開戸用の掛金具受と、側面に設けられた開戸用の掛金具受との双方が、妻面のみに設けられ、妻面に設けられた開戸用の掛金具と、側面に設けられた開戸用の掛金具との双方が、側面のみに設けられたものである。これにより、一方の妻面と一方の側面との少なくとも２面に一対の開戸が設けられた構成でありながら、開戸が設けられた妻面には、掛金具受のみが具備されることになるため、妻面の開戸からの突出量が抑制され、コンテナ容量の拡大化に寄与するものとなる。
【００１２】
（３）上記（２）項において、一方の妻面と双方の側面との３面に前記一対の開戸が設けられると共に、他方の妻面に外板が設けられ、該外板が設けられた妻面を第１妻面、前記一対の開戸が設けられた妻面を第２妻面としたとき、前記第２妻面に設けられた一方の開戸に、該開戸用の前記掛金具受と、該開戸が開く側とは反対の一方の側面に設けられた、前記第２妻面寄りの開戸用の前記掛金具受とを備えると共に、前記第２妻面に設けられた他方の開戸に、該開戸用の前記掛金具受と、該開戸が開く側とは反対の他方の側面に設けられた、前記第２妻面寄りの開戸用の前記掛金具受とを備え、前記第１妻面に設けられた前記外板に、前記一方の側面に設けられた前記第１妻面寄りの開戸用の前記掛金具受と、前記他方の側面に設けられた前記第１妻面寄りの開戸用の前記掛金具受とを備え、前記一方の側面に設けられた前記第２妻面寄りの開戸に、該開戸用の前記掛金具と、前記第２妻面に設けられた前記他方の開戸用の前記掛金具とを備えると共に、前記一方の側面に設けられた前記第１妻面寄りの開戸に、該開戸用の前記掛金具を備え、前記他方の側面に設けられた前記第２妻面寄りの開戸に、該開戸用の前記掛金具と、前記第２妻面に設けられた前記一方の開戸用の前記掛金具とを備えると共に、前記他方の側面に設けられた前記第１妻面寄りの開戸に、該開戸用の前記掛金具を備えているコンテナ（請求項３）。
【００１３】
本項に記載のコンテナは、一方の妻面と双方の側面との３面に一対の開戸が設けられ、残り１面の他方の妻面には外板が設けられたものである。そして、外板が設けられた妻面を第１妻面、一対の開戸が設けられた妻面を第２妻面としたときに、３面に設けられた一対の開戸の各々用の掛金具及び掛金具受が、下記のように具備されている。まず、第２妻面に設けられた一対の開戸のうち、一方の開戸に、その開戸用の掛金具受と、その開戸が開く側とは反対の一方の側面（その開戸が開扉状態のときに対向する側面とは反対の側面）に設けられた、第２妻面寄りの開戸用の掛金具受との、２つの掛金具受を備えている。又、第２妻面の他方の開戸に、その開戸用の掛金具受と、その開戸が開く側とは反対の他方の側面に設けられた、第２妻面寄りの開戸用の掛金具受との、２つの掛金具受を備えている。次に、第１妻面に設けられた外板には、一方の側面に設けられた第１妻面寄りの開戸用の掛金具受と、他方の側面に設けられた第１妻面寄りの開戸用の掛金具受との、２つの掛金具受を備えている。
【００１４】
続いて、上述した一方の側面に設けられた一対の開戸のうち、第２妻面寄りの開戸に、その開戸用の掛金具と、第２妻面に設けられた上記の他方の開戸用の掛金具とを備え、一方の側面の第１妻面寄りの開戸に、その開戸用の掛金具を備えている。更に、上述した他方の側面に設けられた一対の開戸のうち、第２妻面寄りの開戸に、その開戸用の掛金具と、第２妻面に設けられた上記の一方の開戸用の掛金具とを備え、他方の側面の第１妻面寄りの開戸に、その開戸用の掛金具を備えている。このように、より具体的な構成でありながらも、一対の開戸が設けられた第２妻面には、３面に設けられた一対の開戸の各々用の掛金具及び掛金具受のうち、４つの掛金具受のみが具備されることになる。これにより、妻面の開戸からの突出量が抑制されるため、例え妻面の開戸の位置が外側へシフトされても、妻面の最外縁部からの掛金具受の突出が防止され、コンテナ容量の拡大化に寄与するものとなる。
【発明の効果】
【００１５】
本発明は上記のような構成であるため、開扉状態を維持するための部材を変更することなく、コンテナ妻面の開戸からの突出量を抑制することが可能となる。
【図面の簡単な説明】
【００１６】
【図１】本発明の実施の形態に係るコンテナを示しており、（ａ）はコンテナの上面、（ｂ）はコンテナの一方の側面、（ｃ）はコンテナの一方の妻面を示している。
【図２】図１のコンテナを示しており、（ａ）はコンテナの他方の側面、（ｂ）はコンテナの他方の妻面を示している。
【図３】本発明の実施の形態に係るコンテナの、妻面の開戸が開扉状態に維持されている様子を示す、高さ方向と直交する断面図である。
【図４】図３のＡ−Ａ線での断面図である。
【図５】本発明の実施の形態に係るコンテナの、側面の開戸が開扉状態に維持されている様子を示す、高さ方向と直交する断面図である。
【図６】（ａ）は図５のＢ−Ｂ線での断面図であり、（ｂ）は図５のＣ−Ｃ線での断面図である。
【発明を実施するための形態】
【００１７】
以下、本発明を実施するための形態を、添付図面に基づいて説明する。ここで、従来技術と同一部分、若しくは相当する部分については、詳しい説明を省略することとし、又、図面の全体を通して、同一部分若しくは相当する部分は、同一の符号で示している。
図１及び図２は、本発明の実施の形態に係るコンテナ１０の構成の一例を模式的に示している。このコンテナ１０は、略立方体の中空構造を有し、一対の妻面１２、１４と一対の側面１６、１８とのうち、一方の妻面（第２妻面）１４と双方の側面１６、１８との３つ面の夫々に、荷物を出し入れするための観音開き式の扉として、一対の開戸２０（２０Ａ〜２０Ｆ）が設けられている。より詳しくは、妻面１４に一対の開戸２０Ａ、２０Ｂが設けられ、側面１８に一対の開戸２０Ｃ、２０Ｄが設けられ、側面１６に一対の開戸２０Ｅ、２０Ｆが設けられている。
【００１８】
又、残りのもう一方の妻面（第１妻面）１２には、開戸２０が設けられておらず、図２（ｂ）で確認できるように、図中上下方向に延在する凸条部と凹条部とが、図中左右方向に交互に形成された、波板状の外板８８が設けられている。そして、上述したような一対の妻面１２、１４及び一対の側面１６、１８には、開戸２０Ａ〜２０Ｆを開いたときに、風等の影響によって開戸２０Ａ〜２０Ｆが閉まらないように、開戸２０Ａ〜２０Ｆの開扉状態を維持するための部材として、掛金具３０及び掛金具受３４が取り付けられている。掛金具３０及び掛金具受３４は、開扉状態維持の対象となる開戸２０Ａ〜２０Ｆ毎に、専用の掛金具３０及び掛金具受３４が用意されている。
【００１９】
具体的に、妻面１４には、図１（ｃ）を参照して、一方の開戸２０Ａに、その開戸２０Ａ用の掛金具受３４Ａと、側面１６の開戸２０Ｅ用の掛金具受３４Ｅとが、図中左右方向に間隔を空けて取り付けられている。又、妻面１４のもう一方の開戸２０Ｂには、その開戸２０Ｂ用の掛金具受３４Ｂと、側面１８の開戸２０Ｃ用の掛金具受３４Ｃとが、図中左右方向に間隔を空けて取り付けられている。次に、図１（ｂ）を参照して、側面１８には、一方の開戸２０Ｃに、その開戸２０Ｃ用の掛金具３０Ｃと、妻面１４の開戸２０Ａ用の掛金具３０Ａとが、図中左右方向に間隔を空けて取り付けられ、他方の開戸２０Ｄに、その開戸２０Ｄ用の掛金具３０Ｄが取り付けられている。
【００２０】
続いて、図２（ａ）を参照して、側面１６には、一方の開戸２０Ｅに、その開戸２０Ｅ用の掛金具３０Ｅと、妻面１４の開戸２０Ｂ用の掛金具３０Ｂとが、図中左右方向に間隔を空けて取り付けられ、他方の開戸２０Ｆに、その開戸２０Ｆ用の掛金具３０Ｆが取り付けられている。更に、図２（ｂ）を参照して、妻面１２には、波板状の外板８８に、側面１８の開戸２０Ｄ用の掛金具受３４Ｄと、側面１６の開戸２０Ｆ用の掛金具受３４Ｆとが、図中左右方向に間隔を空けて取り付けられている。これらの掛金具３０Ａ〜３０Ｆ及び掛金具受３４Ａ〜３４Ｆには、従来のコンテナの掛金具及び掛金具受と同様の部材が用いられている。
【００２１】
そして、上述した掛金具３０及び掛金具受３４の各々は、下記のように使用される。まず、図３には、妻面１４に設けられた開戸２０Ａ、２０Ｂが開かれ、それらの開扉状態が維持されている様子を示している。図示のように、一方の開戸２０Ａは、側面１８に対向する位置まで開かれ、側面１８の開戸２０Ｃに取り付けられた掛金具３０Ａが、開戸２０Ａに取り付けられた掛金具受３４Ａに掛止されることで、開扉状態が維持されている。同様に、他方の開戸２０Ｂは、側面１６に対向する位置まで開かれ、側面１６の開戸２０Ｅに取り付けられた掛金具３０Ｂが、開戸２０Ｂに取り付けられた掛金具受３４Ｂに掛止されることで、開扉状態が維持されている。
【００２２】
より詳しくは、図４に示すように、掛金具３０Ａは、長尺リング状の掛止部材３６と、開戸２０Ｃに固定されてループ形状を形成し、そのループ形状内に掛止部材３６の一端側が挿通されていることで、掛止部材３６を保持する保持部材３８とを備えている。又、掛金具受３４Ａは、上方に向いたフック状を成している。なお、他の掛金具３０Ｂ〜３０Ｆ及び掛金具受３４Ｂ〜３４Ｆも、掛金具３０Ａ及び掛金具受３４Ａと同様の構成及び形状を有している。そして、掛止部材３６は、図４に二点鎖線で示されているように、保持部材３８から吊り下げられて保持されている状態から、図４に実線で示されているように、掛止部材３６に挿通された一端側を起点にして回動され、他端側が掛金具受３４Ａに掛止されている。これにより、妻面１４の一方の開戸２０Ａの開扉状態が維持される。又、図３に示した妻面１４の他方の開戸２０Ｂは、図４に示した一方の開戸２０Ａと同様に、図４の掛金具３０Ａ及び掛金具受３４Ａと左右対称の構造を有する掛金具３０Ｂ及び掛金具受３４Ｂによって、開扉状態が維持される。
【００２３】
ここで、図３には、側面１８、１６の最外縁部１８ａ、１６ａ及び妻面１４の最外縁部１４ａを二点鎖線で示すと共に、図４には、側面１８の最外縁部１８ａを二点鎖線で示している。これらの図から確認できるように、各掛金具３０の保持部材３８は、側面１８、１６の最外縁部１８ａ、１６ａから突出しておらず、保持部材３８に保持された状態の掛止部材３６も、側面１８、１６の最外縁部１８ａ、１６ａから突出していない。又、図３に示すように、妻面１４の開戸２０Ａ、２０Ｂの各々には、当り金４０が設けられており、側面１８の開戸２０Ｃ及び側面１６の開戸２０Ｅの各々には、戸当りゴム４２が設けられている。そして、これらの当り金４０と戸当りゴム４２とが互いに接触することによって、開戸２０同士が衝突しないように保護されている。なお、図３では、掛金具３０や掛金具受３４を明確に示すために、各開戸２０の開閉装置の一部を破断して示している。
【００２４】
次に、図５には、側面１８に設けられた開戸２０Ｃ、２０Ｄが開かれ、それらの開扉状態が維持されている様子を示している。図示のように、一方の開戸２０Ｄは、妻面１２に対向する位置まで開かれ、開戸２０Ｄに取り付けられた掛金具３０Ｄが、妻面１２の外板８８に取り付けられた掛金具受３４Ｄに掛止されることで、開扉状態が維持されている。同様に、他方の開戸２０Ｃは、妻面１４に対向する位置まで開かれ、開戸２０Ｃに取り付けられた掛金具３０Ｃが、妻面１４の開戸２０Ｂに取り付けられた掛金具受３４Ｃに掛止されることで、開扉状態が維持されている。
【００２５】
より詳しくは、図６（ａ）に示すように、一方の開戸２０Ｄは、掛金具３０Ｄの長尺リング状の掛止部材３６が、保持部材３８から吊り下げられて保持されている状態（二点鎖線の掛止部材３６参照）から、保持部材３８に対して回動され、フック状の掛金具受３４Ｄに掛止される（実線の掛止部材３６参照）ことで、開扉状態が維持される。又、図６（ｂ）に示すように、他方の開戸２０Ｃは、掛金具３０Ｃの長尺リング状の掛止部材３６が、保持部材３８から吊り下げられて保持されている状態（二点鎖線の掛止部材３６参照）から、保持部材３８に対して回動され、フック状の掛金具受３４Ｃに掛止される（実線の掛止部材３６参照）ことで、開扉状態が維持される。
【００２６】
ここで、図５には、妻面１２、１４の最外縁部１２ａ、１４ａ及び側面１８の最外縁部１８ａを二点鎖線で示すと共に、図６には、妻面１２、１４の最外縁部１２ａ、１４ａを二点鎖線で示している。これらの図から確認できるように、妻面１２、１４に取り付けられている掛金具受３４は、何れも、妻面１２、１４の最外縁部１２ａ、１４ａから突出していない。又、図５に示すように、側面１８の開戸２０Ｃ、２０Ｄの各々には、戸当りゴム４２が設けられており、妻面１４の開戸２０Ａには、当り金４０が設けられている。そして、これらの戸当りゴム４２と当り金４０又は外板８８とが互いに接触することによって、開戸２０同士又は開戸２０と外板８８とが衝突しないように保護されている。なお、図５では、掛金具３０や掛金具受３４を明確に示すために、各開戸２０の開閉装置の一部を破断して示している。一方、コンテナ１０の側面１６に設けられた開戸２０Ｅ、２０Ｆは、掛金具３０Ｅ及び掛金具受３４Ｅと、掛金具３０Ｆ及び掛金具受３４Ｆとにより、開扉状態が維持される。その様子は、側面１８の開戸２０Ｃ、２０Ｄが開扉状態にされている図５を、上下対称にした構成に類似しているため、詳しい説明を省略する。
【００２７】
さて、上記構成をなす本発明の実施の形態によれば、次のような作用効果を得ることが可能である。すなわち、本発明の実施の形態に係るコンテナ１０は、図１及び図２に示すように、荷物を出し入れするための扉として、観音開き式の一対の開戸２０が、少なくとも一方の妻面１４に設けられたものである。すなわち、妻面１４に設けられた一対の開戸２０Ａ、２０Ｂは、図３に示すように、妻面１４の両側端（隅柱の設置位置）を起点として、一方の開戸２０Ａが一方の側面１８に対向する位置まで開かれ、もう一方の開戸２０Ｂが他方の側面１６に対向する位置まで開かれる。そして、このように開扉状態にされた一対の開戸２０Ａ、２０Ｂは、従来と同様に、掛金具３０及び掛金具３０を受ける掛金具受３４によって開扉状態が維持される。
【００２８】
しかしながら、本発明の実施の形態に係るコンテナ１０は、従来のコンテナと異なり、妻面１４に設けられた一対の開戸２０Ａ、２０Ｂの各々に、その開戸２０Ａ、２０Ｂ用の掛金具受３４Ａ、３４Ｂを備え、双方の側面１８、１６に、妻面１４に設けられた一対の開戸２０Ａ、２０Ｂ用の掛金具３０Ａ、３０Ｂを備えたものである。すなわち、妻面１４に設けられた双方の開戸２０Ａ、２０Ｂは、開扉状態で各々が対向する側面１８、１６に具備された掛金具３０Ａ、３０Ｂが、各々に具備された掛金具受３４Ａ、３４Ｂに掛止されることで、開扉状態が維持されるものである。
【００２９】
ここで、図４及び図６に示すように、掛金具３０は、掛金具受３４に対して掛止される長尺リング状の掛止部材３６と、掛止部材３６を保持するための保持部材３８とを含み、未使用時には、掛止部材３６が保持部材３８から吊り下げられている。そして、使用時には、掛止部材３６が保持部材３８により保持された一端側を起点に保持部材３８に対して回動され、掛止部材３６の他端側が掛金具受３４に掛止されるものである。このため、保持部材３８には、掛止部材３６を掛止する際の作業性等を考慮して、掛止部材３６の一端がある程度自由に動くための遊びが必要となる。その結果、掛止部材３６及び保持部材３８を有する掛金具３０は、掛止部材３６が一時的に掛止されるだけの掛金具受３４と比較して、具備される面からの突出量が大きくなる。換言すれば、掛金具受３４は、具備された面からの突出量が、掛金具３０よりも小さくなっている。
【００３０】
このため、本発明の実施の形態に係るコンテナ１０は、掛金具３０が設けられていた従来のコンテナの妻面と比較して、開戸２０Ａ、２０Ｂからの突出量を抑制することができる。しかも、掛金具３０及び掛金具受３４には、従来のコンテナと同様の部材を用いることができるため、開扉状態を維持するための部材を変更することなく、コンテナ妻面１４の開戸２０Ａ、２０Ｂからの突出量を抑制することができる。これにより、例え妻面１４の開戸２０Ａ、２０Ｂの位置が外側（図３における下側）へシフトされても、それらの開戸２０Ａ、２０Ｂに設けられた掛金具受３４Ａ、３４Ｂが、妻面１４の最外縁部１４ａ（図５及び図６（ｂ）参照）よりも突出することを防止できるため、コンテナ容量の拡大化に寄与することが可能となる。
【００３１】
又、本発明の実施の形態に係るコンテナ１０は、図１及び図２に示すように、荷物を出し入れするための観音開き式の一対の開戸２０が、少なくとも一方の妻面１４に加えて、少なくとも一方の側面１８にも設けられたものである。そして、側面１８に設けられた一対の開戸２０Ｃ、２０Ｄの各々に、その開戸２０Ｃ、２０Ｄ用の掛金具３０Ｃ、３０Ｄを備え、双方の妻面１４、１２に、側面１８に設けられた一対の開戸２０Ｃ、２０Ｄ用の掛金具受３４Ｃ、３４Ｄを備えたものである。すなわち、図５及び図６に示すように、側面１８に設けられた一方の開戸２０Ｃは、一方の妻面１４に対向する位置まで開かれ、その妻面１４に具備された掛金具受３４Ｃに対して、開戸２０Ｃに具備された掛金具３０Ｃが掛止されることで、開扉状態が維持される。同様に、側面１８に設けられたもう一方の開戸２０Ｄは、他方の妻面１２に対向する位置まで開かれ、その妻面１２に具備された掛金具受３４Ｄに対して、開戸２０Ｄに具備された掛金具３０Ｄが掛止されることで、開扉状態が維持される。
【００３２】
すなわち、本発明の実施の形態に係るコンテナ１０は、妻面１４に設けられた開戸２０Ａ、２０Ｂ用の掛金具受３４Ａ、３４Ｂと、側面１８に設けられた開戸２０Ｃ、２０Ｄ用の掛金具受３４Ｃ、３４Ｄとの双方が、妻面１２、１４のみに設けられる。更に、妻面１４に設けられた開戸２０Ａ、２０Ｂ用の掛金具３０Ａ、３０Ｂと、側面１８に設けられた開戸２０Ｃ、２０Ｄ用の掛金具３０Ｃ、３０Ｄとの双方が、側面１６、１８のみに設けられたものである。これにより、一方の妻面１４と一方の側面１８との少なくとも２面に一対の開戸２０Ａ〜２０Ｄが設けられた構成でありながら、開戸２０Ａ、２０Ｂが設けられた妻面１４には、掛金具受３４Ａ〜３４Ｃのみが具備されることになる。このため、妻面１４の開戸２０Ａ、２０Ｂからの突出量を抑制することができ、コンテナ容量の拡大化に寄与することが可能となる。
【００３３】
更に、本発明の実施の形態に係るコンテナ１０は、図１及び図２に示すように、一方の妻面１４と双方の側面１６、１８との３面に一対の開戸２０Ａ〜２０Ｆが設けられ、残り１面の他方の妻面１２には外板８８が設けられたものである。そして、外板８８が設けられた妻面１２を第１妻面１２、一対の開戸２０Ａ、２０Ｂが設けられた妻面１４を第２妻面１４としたときに、３面に設けられた一対の開戸２０Ａ〜２０Ｆの各々用の掛金具３０Ａ〜３０Ｆ及び掛金具受３４Ａ〜３Ｆが、下記のように具備されている。まず、第２妻面１４に設けられた一対の開戸２０Ａ、２０Ｂのうち、一方の開戸２０Ａに、その開戸２０Ａ用の掛金具受３４Ａと、その開戸２０Ａが開く側とは反対の一方の側面１６（その開戸２０Ａが開扉状態のときに対向する側面１８とは反対の側面１６）に設けられた、第２妻面１４寄りの開戸２０Ｅ用の掛金具受３４Ｅとの、２つの掛金具受３４を備えている。又、第２妻面１４の他方の開戸２０Ｂに、その開戸用２０Ｂの掛金具受３４Ｂと、その開戸２０Ｂが開く側とは反対の他方の側面１８に設けられた、第２妻面１４寄りの開戸２０Ｃ用の掛金具受３４Ｃとの、２つの掛金具受３４を備えている。
【００３４】
次に、第１妻面１２に設けられた外板８８には、一方の側面１６に設けられた第１妻面１２寄りの開戸用２０Ｆの掛金具受３４Ｆと、他方の側面１８に設けられた第１妻面１２寄りの開戸２０Ｄ用の掛金具受３４Ｄとの、２つの掛金具受３４を備えている。続いて、上述した一方の側面１６に設けられた一対の開戸２０Ｅ、２０Ｆのうち、第２妻面１４寄りの開戸２０Ｅに、その開戸２０Ｅ用の掛金具３０Ｅと、第２妻面１４に設けられた上記の他方の開戸２０Ｂ用の掛金具３０Ｂとを備え、一方の側面１６の第１妻面１２寄りの開戸２０Ｆに、その開戸２０Ｆ用の掛金具３０Ｆを備えている。更に、上述した他方の側面１８に設けられた一対の開戸２０Ｃ、２０Ｄのうち、第２妻面１４寄りの開戸２０Ｃに、その開戸２０Ｃ用の掛金具３０Ｃと、第２妻面１４に設けられた上記の一方の開戸２０Ａ用の掛金具３０Ａとを備え、他方の側面１８の第１妻面１２寄りの開戸２０Ｄに、その開戸２０Ｄ用の掛金具３０Ｄを備えている。
【００３５】
このように、より具体的な構成でありながらも、一対の開戸２０Ａ、２０Ｂが設けられた第２妻面１４には、３面に設けられた一対の開戸２０Ａ〜２０Ｆの各々用の掛金具３０Ａ〜３０Ｆ及び掛金具受３４Ａ〜３４Ｆのうち、４つの掛金具受３４Ａ〜３４Ｃ、３４Ｅのみが具備されることになる。これにより、妻面１４の開戸２０Ａ、２０Ｂからの突出量を抑制することができるため、例え妻面１４の開戸２０Ａ、２０Ｂの位置が外側へシフトされても、妻面１４の最外縁部１４ａからの掛金具受３４の突出を防止することができ、コンテナ容量の拡大化に寄与することができる。
【００３６】
又、本発明の実施の形態に係るコンテナ１０は、上述したように、側面１６、１８に掛金具３０を備えているものの、それによって、側面１６、１８に設けられる開戸２０Ｃ〜２０Ｆの厚み等に影響を受けるものではない。このため、例えば、従来のコンテナで採用されているような、ルーバー付きの開戸２０を側面１６、１８に備えることにより、コンテナ１０の通風化に容易に対応することができる。
【００３７】
なお、本発明の実施の形態に係るコンテナ１０は、上述した実施例に限定されるものではなく、全ての開戸２０用の掛金具受３４が妻面１２、１４に集約されると共に、全ての開戸２０用の掛金具３０が側面１６、１８に集約されていれば、例えば、図１及び図２に示したコンテナ１０と異なる構成であってもよい。すなわち、妻面１４のみに開戸２０が設けられたコンテナ、妻面１４と側面１８との２つの面に開戸２０が設けられたコンテナ、双方の妻面１２、１４の２面に開戸２０が設けられたコンテナ、或いは、双方の妻面１２、１４と双方の側面１６、１８との４つの面に開戸２０が設けられたコンテナ等であってもよい。更に、掛金具３０及び掛金具受３４は、開戸２０毎に専用のものが用意されている必要はなく、例えば、取り付け位置の調整等によって、複数の開戸２０により兼用される掛金具３０や掛金具受３４が含まれていてもよい。この場合は、掛金具３０や掛金具受３４の数量が削減されるため、コストの低減に寄与することができる。又、各部材間を接続する固定方法は、溶接やビス止め等を含み、各部材間において適切な固定方法を用いることができる。
【符号の説明】
【００３８】
１０：コンテナ、１２：妻面（第１妻面）、１４：妻面（第２妻面）、１６、１８：側面、２０（２０Ａ〜２０Ｆ）：開戸、３０（３０Ａ〜３０Ｆ）：掛金具、３４（３４Ａ〜３４Ｆ）：掛金具受、８８：外板
【図１】
2019172312.tif 000003
【図２】
2019172312.tif 000004
【図３】
2019172312.tif 000005
【図４】
2019172312.tif 000006
【図５】
2019172312.tif 000007
【図６】
2019172312.tif 000008